(57)【要約】      （修正有）【課題】テーブルや机などの家具の角部に簡単に取り付けることができ、衝突による負傷を防止できる角部衝突防止部材を提供する。【解決手段】角部衝突防止部材１は、第１の当接面２と、第１の当接面２に対して直角またはそれ以下の角度を有する第２の当接面３とを有し、少なくとも第１の当接面２または第２の当接面３のいずれかの当接面に吸盤４を有するものである。この角部衝突防止部は吸盤によって家具に簡単に取り付けることができ、家具の角部に衝突して負傷することを防止することができる。【選択図】図１
0003147439.tif 000002
【実用新案登録請求の範囲】
【請求項１】
第１の当接面と、第１の当接面に対して直角またはそれ以下の角度を有する第２の当接面とを有し、少なくとも第１の当接面または第２の当接面のいずれかの当接面に吸盤を有する角部衝突防止部材。
【請求項２】
端部に連結用の凹凸部を有する請求項１に記載の角部衝突防止部材。
【考案の詳細な説明】
【技術分野】
【０００１】
この考案は、テーブルや机などの角部に衝突して負傷することを防止するための部材に関するものである。
【背景技術】
【０００２】
テーブルや机などの辺部（サイド部）や隅部（コーナー部）に頭などをぶつけて小児や障害者が負傷することがある。テーブルや机などの辺部や隅部にはある程度の丸みが形成されていているが、転倒などによって体を強く当てれば、負傷は発生しうる。
【０００３】
特許文献１には、２枚の合成樹脂フィルムを重ね合わせ、一方を開口して形成された空気供給口を有する空気供給路と、該空気供給路とは逆止弁を介して連設するとともに上記空気供給路とは、並列状態にそれぞれ独立して形成された複数の空気充填室を有するセーフティガードを接着テープにより、家具に接着することが記載されている。
【特許文献１】実開平７−１８３８号公開公報
【考案の開示】
【考案が解決しようとする課題】
【０００４】
従来の角部衝突防止部材の多くは、家具に一体的に取り付けられるものであり、後から追加して取り付けられるものではなかった。特許文献１に記載のセーフティガードも、大規模なパネルを接着剤で取り付けるものであり、一般消費者が必要なときに簡単に取り付けられるものではない。また、一旦、接着したら、取り外しは困難であり、その状態で使用し続けるしかない。
【０００５】
この考案は、家具の角部に簡単に取り付けることができ、衝突による負傷を防止できる角部衝突防止部材を提供することを目的とする。
【課題を解決するための手段】
【０００６】
上述の課題を解決するため、この考案の角部衝突防止部材は、第１の当接面と、第１の当接面に対して直角またはそれ以下の角度を有する第２の当接面とを有し、少なくとも第一の当接面または第２の当接面のいずれかの当接面に吸盤を有する。ここで、当接面とは、角部衝突防止部材の表面のうち、天板表面や側面など家具の表面に接するべき面のことである。さらに、角部衝突防止部材の端部に連結用の凹凸部を設けてもよい。
【考案の効果】
【０００７】
この考案の角部衝突防止部材は、吸盤によって家具に簡単に取り付けることができ、家具の角部に衝突して負傷することを防止することができる。
【考案を実施するための最良の形態】
【０００８】
この考案を実施するための最良の形態について説明する。図１は角部衝突防止部材を示す正面図、図２は角部衝突防止部材を取り付けるべき家具を示す斜視図である。
【０００９】
図２に示す家具１０は食卓である。天板１１は概ね長方形の板であり、辺部（サイド部）１２は、天面１３と側面１４ａがほぼ直角につながっている。また、隅部１５は２つの側面１４ａ，ｂおよび天面１３がほぼ直角につながっている。
【００１０】
食卓やテーブル以外の家具も直方体状のものが多く、辺部や隅部を有する。また、家具のほとんどが、木、金属などの硬質の部材で作られており、辺部や隅部に体が衝突すると痛く、また、負傷する恐れがある。なお、この考案において「角部」とは、辺部と隅部の両者を含む。
【００１１】
図１に示す角部衝突防止部材は、辺部に取り付けるものの例である。この角部衝突防止部材１は、主に、シリコンゴムのような柔軟性のある素材で作られている。色は自由に選択でき、透明や半透明でもよく、食卓の天板に近いような色でもよく、さらに、木目調の模様などが付されていてもよい。第１の当接面２は食卓や机の天板の上面（天面１３）に当接すべき面であり、幅はやや広くなっている。第２の当接面３は家具の側面１４に当接すべき面である。第１の当接面２と第２の当接面３の角度θは直角あるいはそれより若干小さい。
【００１２】
この角部衝突防止部材１は、１つの辺をカバーできる程度の長さでもよく、それよりも短く分割されていてもよい。
【００１３】
第１の当接面２には、吸盤４が設けられている。角部衝突防止部材１が短ければ吸盤は１個でもよいが、長い場合には複数個を並列に設けてもよい。また、第２の当接面３にも吸盤を設けてもよいが、通常は食卓の天面は滑らかに仕上げられており、天面に当接する第１の当接面２に設けた吸盤が有効である。
【００１４】
図３は、角部衝突防止部材１の家具への取り付け状態を示す概念図である。第１の当接面２を家具の天面に、第２の当接面３を家具の側面に、それぞれ当てる。家具によっては、側面は緩やかな曲面の場合もあるが、角部衝突防止部材１は柔軟性のある部材で作られているので、家具の面形状に適応して密着する。適切な位置に角部衝突防止部材１が置かれたら、吸盤４を天面に押し付けることによって角部衝突防止部材１が固定される。
【００１５】
図４は隅部用の角部衝突防止部材を示す斜視図、図５は別の角度より見た斜視図である。この例においては、角部衝突防止部材は、家具の天面に当接する第１の当接面２を有するほか、直行する２つの側面に当接する第２の当接面３と第３の当接面５を有する。そして、３つの当接面のうちの一つ、ここでは第１の当接面２に、吸盤４が設けられている。また、隅の頂点付近に接する部分の外側は特に肉厚に形成されており、盛り上がった形状になっている。
【００１６】
この隅部用の角部衝突防止部材を家具の隅部に合わせ、吸盤４で天面に取り付けることによって、家具の隅部を覆うことができる。頂点に当たる部分は特に肉厚になっているので、衝突による衝撃を十分に吸収することができる。
【００１７】
次に、この考案の変形例について説明する。辺部用の角部衝突防止部材の応用例である。図６は、この変形例を示す斜視図である。角部衝突防止部材は、家具の辺部の長さに比べて短めに分割されており、その両端部には相互に係合する形状の凹凸が形成されている。
【００１８】
この例においては、一方の端部に円盤状の突起が形成されており、他端部にはこの円盤状の突起が入るような円形の凹部が形成されている。
【００１９】
この例の角部衝突防止部材は短く分割されているので、保管や持ち運びに便利である。使用するときには、凹凸部を組み合わせることによって、端部同士を容易に連結することができる。従って、必要な長さ分だけ連結して家具に取り付けることができる。また、様々なサイズの家具にも適用することができる。
【００２０】
なお、このような凹凸は隅部用の角部衝突防止部材にも設けることができる。これによって、辺部用の最外部の角部衝突防止部材の端部と角部衝突防止部材を連結することができる。
【００２１】
食卓のすべての辺部と隅部を角部衝突防止部材で覆うことによって、食卓の周囲に、低い壁を形成することもできる。こうすることによって、食事中に水や汁物をこぼしても、その液体が床に落ちることを防止することができる。したがって、幼児や障害者の食事用に使用するのに適している。
【００２２】
この考案の角部衝突防止部材は、吸盤で取り付けるものなので、簡単に家具から取り外すこともできる。粘着テープのように家具の塗装が剥がれたり、あるいは汚れを家具の表面に残す心配がない。
【００２３】
旅行の際にも携帯しやすく、宿泊先の家具にも簡単に取り付けることができる。したがって、幼児や高齢者あるいは障害者を伴った旅行にも有用である。使用後は吸盤をはがして簡単に取り外して回収できる。
【図面の簡単な説明】
【００２４】
【図１】辺部用の角部衝突防止部材を示す斜視図である。
【図２】家具の例を示す正面図である。
【図３】辺部用の角部衝突防止部材の取り付け状態を示す概念図である。
【図４】隅部用の角部衝突防止部材を示す斜視図である。
【図５】同じく、別の角度から見た斜視図である。
【図６】辺部用の角部衝突防止部材の変形例を示す斜視図である。
【符号の説明】
【００２５】
１．角部衝突防止部材
２．第１の当接面
３．第２の当接面
４．吸盤
【図１】
0003147439.tif 000003
【図２】
0003147439.tif 000004
【図３】
0003147439.tif 000005
【図４】
0003147439.tif 000006
【図５】
0003147439.tif 000007
【図６】
0003147439.tif 000008